(57)【要約】【課題】和の風情を演出したお茶のパッケージ商品を提供する。【解決手段】茶袋１２に桜漬けと粉末煎茶を合わせて封入し、これに切り紙製の茶托１４を添えて包装紙１６で包み、桜花入りインスタントお茶パック１０のパッケージ商品とした。折り畳んだ状態で包装紙１６に包まれた茶托１４は、開くと綺麗な桜花型となり、湯呑茶碗を置くことができる。包装紙１６には桜花に因んだ日本古謡「さくらさくら」の歌詞と、外部の動画サイトにリンク可能なＱＲコード（登録商標）が印字されている。【選択図】図１
0003201523.tif 000002
【実用新案登録請求の範囲】
【請求項１】
桜漬けおよび粉末茶が茶袋に合わせて封入されていることを特徴とする、
桜花入りインスタントお茶。
【請求項２】
包装紙と、紙で作製された茶托をさらに備え、
前記茶托が折り畳まれた状態で前記茶袋とともに前記包装紙によって包装されていることを特徴とする、
請求項１に記載の桜花入りインスタントお茶パック。
【請求項３】
前記包装紙に、日本古謡「さくらさくら」の歌詞が記されていることを特徴とする、
請求項１または２に記載の桜花入りインスタントお茶パック。
【請求項４】
前記包装紙に、前記日本古謡「さくらさくら」の楽曲データにインターネット回線を通じてリンク可能な二次元コードが記されていることを特徴とする、
請求項３に記載の桜花入りインスタントお茶パック。
【考案の詳細な説明】
【技術分野】
【０００１】
本考案は、和の風情を手軽に楽しむことができる桜花入りインスタントお茶パックに関する。
【背景技術】
【０００２】
古来、結納や婚礼などの祝いの席においては、お茶の代わりに桜湯が振る舞われることが多い。桜湯は、桜花にお湯を注いだ飲み物であり、時間が経つにつれて花弁が開き、湯面に浮かび上がり可憐で華やかな雰囲気を演出する縁起物として親しまれている。桜花には軸ごと摘み取られた七分咲き程度の八重桜が用いられ、これを塩と梅酢とで漬けた桜漬けとして保存されている。桜湯は、祝い事に際して湯面に浮かぶ桜花の美しさと香りを楽しむものであり、必ずしも飲料として用いられるものではないため、一般の家庭で用いられる機会はそれほど多くはなく、祝い事の際に会場となる料亭や旅館、ホテル等で振る舞われることがほとんどである。このような背景の中、より桜花を楽しむための工夫はなされており、例えば特許文献１には、桜花などの食用花を塩ではなくトレハロース等の糖質で漬け込む技術が開示されている。
【先行技術文献】
【特許文献】
【０００３】
【特許文献１】特開２００６−６０４２１号公報
【考案の概要】
【考案が解決しようとする課題】
【０００４】
桜湯は、桜花の美しさ故に、長年の間にわたり日本人に愛されてきたのであるが、桜漬けは必ずしも入手が容易ではなく、また塩味が強くてそれほど量を飲むことができないこともあって、日常的に親しまれているとは言い難い。しかしながら、多くの日本人が桜を愛し、また外国人が想起する最も日本的なものが桜であることから、桜湯がもっと手軽にそして美味しく楽しめるようになれば、多くの日本人や外国人にも親しまれるものであると思われる。特に外国からの旅行客等に対しては、より和の風情を楽しむことができるパッケージを施すことで日本的な商品としての訴求力が増し、新たなお土産品としての需要も期待できるようになると思われる。
【課題を解決するための手段】
【０００５】
前述した課題を解決するため、本考案は、以下に示す要素によって構成される桜花入りインスタントお茶パックを提供する。
【０００６】
桜花入りインスタントお茶パックの第１の態様は、 桜漬けおよび粉末茶が茶袋に合わせて封入されていることを特徴とする。
【０００７】
桜花入りインスタントお茶パックの第２の態様は、第１の態様において、包装紙と、紙で作製された茶托をさらに備え、前記茶托が折り畳まれた状態で前記茶袋とともに前記包装紙によって包装されていることを特徴とする。
【０００８】
桜花入りインスタントお茶パックの第３の態様は、第１または第２の態様において、 前記包装紙に、日本古謡「さくらさくら」の歌詞が記されていることを特徴とする。
【０００９】
桜花入りインスタントお茶パックの第４の態様は、第３の態様において、前記包装紙に、前記日本古謡「さくらさくら」の楽曲データにインターネット回線を通じてリンク可能な二次元コードが記されていることを特徴とする。
【考案の効果】
【００１０】
桜花入りインスタントお茶パックの第１の態様によれば、開封して中身を湯呑み茶碗等の容器に入れ、お湯を注ぐだけで簡単に桜花入り茶を楽しむことができる。桜花の他に茶も入っているため、桜花の香りに加えてお茶の香りも同時に楽しむことができ、またお茶の風味で桜漬けの風味が緩和されるため、誰でも美味しく飲むことができる。
【００１１】
桜花入りインスタントお茶パックの第２の態様によれば、添えられた茶托を使って日本的なお茶の楽しみ方を簡単に体験することができる。
【００１２】
桜花入りインスタントお茶パックの第３の態様によれば、商品に桜花が含まれていることをスマートにアピールすることができる。また日本を代表する古謡である「さくらさくら」を購入者、特に外国人観光客に広く知らしめることができる。
【００１３】
桜花入りインスタントお茶パックの第４の態様によれば、日本古謡「さくらさくら」の楽曲を簡単に視聴することができ、桜花入り茶を味覚と聴覚の両方から楽しむことができる。また日本を代表する古謡である「さくらさくら」を購入者、特に外国人観光客に広く知らしめることができる。
【図面の簡単な説明】
【００１４】
【図１】桜花入りインスタントお茶パックの構成を示す概略図
【図２】切り紙製の茶托を開いた状態を示す図
【図３】切り紙製の茶托を折り畳んだ状態を示す図
【図４】湯呑茶碗を茶托に置いた状態を示す図
【図５】包装紙の展開図
【図６】他の包装紙の展開図
【考案を実施するための形態】
【００１５】
以下、添付した図面を参照して本考案の実施の形態について説明する。最初に、桜花入りインスタントお茶パックの基本的な構造について説明する。桜花入りインスタントお茶パック１０は、茶袋１２と茶托１４と包装紙１６とによって構成される。茶袋１２はアルミニウム製の個装袋であり、内部に一個の桜漬けと一杯分の粉末煎茶（約０．５ｇ）が一緒に封入されている。茶袋１２は、例えば脱酸処理を施し、真空パックもしくは窒素充填パックすることで、封入された桜漬けと粉末緑茶の鮮度を長期間にわたって保つことも可能である。
【００１６】
茶托１４は紙で製作された切り紙細工であり、拡げると桜花の形状を模した茶托として使用することができる。茶托１４の製作には十折りと呼ばれる技法が用いられており、１枚の正方形の和紙や洋紙を順次折り曲げ、１０枚が折り重なる部分に切除や切り込み加工を行うことで、５枚の花弁からなる桜花を製作することができる。切り紙は、江戸時代には「紋切り遊び」として流行した日本の伝統的な遊戯であり、桜花入りインスタントお茶パック１０に添える小品として用いることで、商品と日本の結びつきを強めるとともに和の風情を上品に演出することができる。なお、茶托１４の形状は桜花のみに限定するものではなく、他の植物の形態を模したものや抽象的なデザインのものなど様々なタイプのものを使用することができる。また切り紙以外にも、例えば桜花等の形状に型抜きした紙を使用してもよい。
【００１７】
包装紙１６は多当折と呼ばれる折り方で製作された紙袋である。多当折は１枚の長方形の紙を縦横に折り曲げ、中央に収納空間を形成する折り方であり、祝儀袋などの金封に多く用いられている。多当折は古くは鎌倉時代より用いられている日本の伝統的な金封様式であり、桜花入りインスタントお茶パック１０の外装となる包装紙１６として用いることで、商品と日本の結びつきを強めるとともに和の風情を上品に演出することができる。なお、包装紙１６は多当折で製作されたものに限定するものではなく、他の折り方で製作されたものやポチ袋など様々なタイプのものを使用することができる。
【００１８】
包装紙１６には、商品名称、商品表示、お茶の淹れ方の説明文（日本語、中国語、英語）の他に、日本古謡「さくらさくら」の歌詞がひらがな文字およびローマ文字で記されている。「さくらさくら」の原曲は江戸時代末期に作曲された箏曲であるとされており、明治２１年に東京音楽学校が刊行した箏曲集において「桜」という題名で収録されている。昭和１６年に国定教科書「うたのほん 下」に「さくらさくら」として掲載されたことで、桜を唄った日本の代表的な唱歌として国民の間で広く認識されるようになった。「さくらさくら」は詩、曲ともにＰＤ（パブリックドメイン）であり、誰でも自由に利用することができる。このように日本を代表する唱歌である「さくらさくら」を包装紙１６に記することで、商品と日本の結びつきを強めるとともに和の風情を上品に演出することができる。
【００１９】
包装紙１６には、ＱＲコード（登録商標）１８が記されている。ＱＲコード（登録商標）には動画の再生が可能なウェブサイトのＵＲＬ情報が格納されており、スマートフォン等のインターネット接続が可能な情報端末によって画像認識させることで、リンク先の動画を閲覧することができる。リンク先のウェブサイトには「さくらさくら」の楽曲データと桜にちなんだ画像データが予め保存されており、商品の購入者は手持ちのスマートフォン等で再生されたものを簡単に楽しむことができる。
【００２０】
桜花入りインスタントお茶パック１０の楽しみ方は次の通りである。包装紙１６を開封して茶袋１２と茶托１４を取り出し、茶袋１２の中身を湯呑茶碗１８に入れる。茶托１４は開いて桜花の形状にし、その上に湯呑茶碗１８を置く。湯呑茶碗１８にお湯を注ぐと、桜漬け２０の花弁が開き、湯面に浮かび上がる。茶袋１２には桜漬けとお茶が入っているため、桜花の香りに加えてお茶の香りも同時に楽しむことができる。またお茶の風味で桜漬けの風味が緩和されるため、誰でも美味しく飲むことができる。
【符号の説明】
【００２１】
１０  桜花入りインスタントお茶パック
１２  茶袋
１４  茶托
１６  包装紙
１８  湯呑茶碗
２０  桜漬け
【図１】
0003201523.tif 000003
【図２】
0003201523.tif 000004
【図３】
0003201523.tif 000005
【図４】
0003201523.tif 000006
【図５】
0003201523.tif 000007
【図６】
0003201523.tif 000008